(57)【要約】      （修正有）【課題】遮音板にかかる大きい外力に対抗して、遮音板の脱落の恐れを小さくできる遮音パネルの枠体構造及び遮音パネルを提供する。【解決手段】ボルト４１は枠体１及び取付部材５により二点支持構造となされているが、取付部材５が遮音板３に方向αへかかる引き抜き力に対抗して係止部５１により外れにくくなされていることで、遮音板３に強い外力がかかっても枠体１と取付部材５とによるボルト４１の二点支持構造が維持され、枠体１に固定されたボルト４１は枠体１との係止力のみに頼ることなくボルト４１が枠体１から外れにくくなることで、遮音板３にかかる大きい外力に対抗して遮音板3が脱落する恐れを小さくすることができる。【選択図】        図５
2006016851.tif 000002
【特許請求の範囲】
【請求項１】
遮音性を具備した遮音板の周囲に枠体が取り付けられ、該枠体は本体と本体と別体に設けられた取付部材とを備え、前記遮音板の周囲の端部付近に穿設されたボルト孔に挿通されたボルトにより前記本体及び取付部材との間に前記遮音板が保持される固定構造であって、前記枠体と前記取付部材とは各々に設けられた係合部を用いて係合され、該係合部は前記遮音板にかかる引き抜き力に対抗して外れにくくなるようになされていることを特徴とする遮音パネルの枠体構造。
【請求項２】
前記遮音板は、端部付近が前記枠体本体に備えられた本体平面と前記取付部材に備えられた取付平面とに挟持され、前記遮音板の一方から外力がかかって他方に向かってたわみが生じた場合に、前記ボルトを支点として、前記取付平面の前記ボルトより奧側が、前記遮音板の端部をより強く挟持するようになされていることを特徴とする請求項１に記載の遮音パネルの枠体構造。
【請求項３】
請求項１又は２に記載の遮音パネルの枠体構造を備えていることを特徴とする遮音パネル。
【発明の詳細な説明】
【技術分野】
【０００１】
本発明は、遮音を目的として主に道路や鉄道の沿線等に沿って設置される遮音パネルに関するものである。
【背景技術】
【０００２】
遮音板の周囲を枠体により保持した遮音パネルは、遮音板に取り付けた抜け止めにより枠体から遮音板を抜けにくくしたものや、枠体と遮音板とをボルトで固定するものなどが用いられてきている。この内、枠体と遮音板とにボルト孔を穿設し、各々のボルト孔に一体のボルトを挿通してボルト止めを行うものとしては、例えば特許文献１に、両側面に凹溝を有し且つ一部又は全体を湾曲させた支柱を一定の間隔で複数本立設し、上下両縁に横枠を設けた合成樹脂板の両側縁を、互いに隣りあう支柱の湾曲した部分の凹溝に挿入して、該両側縁を支柱の湾曲した部分に止具で固定した自動車騒音防止壁において、横枠と押さえ板との間に合成樹脂板（遮音板）を挟んで皿ボルトとナットで固定する方法が開示されている。
【０００３】
【特許文献１】実開平５−３３１７号公報
【発明の開示】
【発明が解決しようとする課題】
【０００４】
しかしながら、枠体により保持された遮音板に一方の面方向から衝撃、風荷重等の強い外力がかかると、遮音板には枠体から抜ける方向に極めて強い引き抜き力がかかるが、特許文献１に記載の騒音防止壁等、従来の遮音パネルでは、ボルトは横枠との係止力に頼るのみであり、とりわけ遮音板が大型のものとなって遮音板にかかる外力がより大きいものとなった場合に、横枠からボルトが外れて遮音板が枠体から脱落する恐れが大きくなるものであった。
【０００５】
本発明は上記の如き課題に鑑みてなされたものであり、遮音板にかかる大きい外力に対抗して、遮音板の脱落の恐れを小さくできる遮音パネルの枠体構造及び遮音パネルを提供せんとするものである。
【課題を解決するための手段】
【０００６】
上記目的を達成するため、本発明は以下のような構成としている。すなわち、本発明に係わる遮音パネルの枠体構造は、遮音性を具備した遮音板の周囲に枠体が取り付けられ、該枠体は本体と本体と別体に設けられた取付部材とを備え、前記遮音板の周囲の端部付近に穿設されたボルト孔に挿通されたボルトにより前記本体及び取付部材との間に前記遮音板が保持される固定構造であって、前記枠体と前記取付部材とは各々に設けられた係合部を用いて係合され、該係合部は前記遮音板にかかる引き抜き力に対抗して外れにくくなるようになされていることを特徴とするものである。
【０００７】
また前記遮音板は、端部付近が前記枠体本体に備えられた本体平面と前記取付部材に備えられた取付平面とに挟持され、前記遮音板の一方から外力がかかって他方に向かってたわみが生じた場合に、前記ボルトを支点として、前記取付平面の前記ボルトより奧側が、前記遮音板の端部をより強く挟持するようになされていることを特徴とするものである。
【０００８】
また本発明に係わる遮音パネルは、本発明請求項１又は２に記載の遮音パネルの枠体構造を備えていることを特徴とするものである。
【発明の効果】
【０００９】
請求項１に記載の本発明に係わる遮音パネルの枠体構造によれば、ボルトは枠体及び取付部材により二点支持構造となされているが、取付部材が遮音板にかかる引き抜き力に対抗して係止部により外れにくくなされていることで、遮音板に強い外力がかかっても枠体と取付部材とによるボルトの二点支持構造が維持され、枠体に固定されたボルトは枠体との係止力のみに頼ることなくボルトが枠体から外れにくくなることで、遮音板にかかる大きい外力に対抗して遮音板が脱落する恐れを小さくすることができる。
【００１０】
また請求項２の発明によれば、遮音板にたわみを生じさせる外力がかかった場合には、同時に枠体から引き抜かれる方向にも外力がかかるが、たわみが生じる際に枠体と取付部材とでより強く遮音板を挟持できることで、遮音板の脱落の恐れを更に小さくすることができ好ましい。
【００１１】
また請求項３の本発明に係わる遮音パネルによれば、遮音板が大型のものとなっても、抜け止めの増設や枠体自体の強度をそれ程高める必要がなく大型の遮音板を枠体により保持することができ、比較的軽量で、低いコストにより遮音パネルを得ることができる。
【発明を実施するための最良の形態】
【００１２】
本発明に係わる最良の実施の形態について、図面に基づき以下に具体的に説明する。
図１〜図５は、本発明に係わる遮音パネルの枠体構造の、実施の一形態を示すもので、図１〜図４は遮音板周囲への枠体の形成の一例を示す説明図である。まず図１において、ポリカーボネート樹脂からなる透明な遮音板３が、アルミニウム押出形材からなる縦枠材２に端部を嵌挿されて取り付けられている。縦枠材２は、遮音板３を嵌入可能な取付溝２１と、枠体としての強度を確保するためのボックス枠部２２と、Ｈ型支柱のフランジ間に嵌挿する相対向した二体の壁体状の支柱取付部２３とを一体に備えている。ボックス枠部２２の内側には、上面に開口されて上横枠材をビス止めするビス孔２４が設けられ、取付溝２１に嵌挿された遮音板３は、取付溝２１の開口部付近に設けられた押縁溝２１１に摺動されて取り付けられた押縁２５と遮音板３に取り付けられた抜け止め（図示せず）により取付溝２１から抜けないようになされている。また遮音板３の上端付近には、ボルトを挿通可能なボルト孔３１が適宜間隔をおいて穿設されている。
【００１３】
次に遮音板３には、アルミニウム押出形材からなる本体１が取り付けられるが、本体１には、鈎状の係止部１１と、遮音板３の一方の面が接せられる本体平面１２が設けられ、本体平面１２の遮音板３と接せられる側にはクロロプレンゴムからなるパッキン材Ｐ１が取り付けられている。更に本体平面１２の上下方向の中間の、本体１の延設方向にボルトを摺動させて挿入可能な蟻溝状のボルト溝１３が設けられ、また縦枠材２と同様に枠体としての強度を確保するためのボックス枠部１４が一体に設けられている。ボックス枠部１４には、端部に落下防止用索条を挿通させる切欠き部Ｋ１と、上面にビス止め作業を行うための切欠き孔Ｋ２とが設けられている。遮音板３の取付前に、予めボルト頭部４１とねじ部４２とを備えたボルト４の、ボルト頭部４１が遮音板３に穿設されたボルト孔３１の数に応じてボルト溝１３に適宜の数摺動されて挿入される。
【００１４】
次に、図２に示す如く、遮音板３の端部付近がパッキンＰ１を介して本体平面１２に接せられ、ボルト溝１３に挿入されたボルト４のねじ部４２が遮音板３に穿設されたボルト孔３１に挿通されて、遮音板３からねじ部４２が突設される。更に本体１に取付部材５が取り付けられる。取付部材５はアルミニウム押出形材からなる本体１の延設方向に延びる板状体で、本体１の長さと略同一となされたものである。上端に鈎状の形状の係合部５１と、遮音板３に接せられる側の取付平面５２と、ボルト４のねじ部４２が挿通可能なボルト孔５３と、カバー材を摺動させて取り付け可能な袋溝状の摺動溝５４とを一体に備え、取付平面５２にはクロロプレンゴムからなるパッキン材Ｐ２が取り付けられている。係合部５１が本体１の延設方向に沿って連続して設けられた係合部１１と係合されると共に、遮音板３から突出したボルト頭部４２が、取付部材５のボルト孔５３に挿通されて六角ナット４３が螺着されることで、本体１に取付部材５が取り付けられ、本体１と取付部材５とにより遮音板３の上辺に枠体１０が形成される。
【００１５】
更に、本体１のボックス枠部１４の下面と、左縦枠材２のボックス枠部２２の上端とが当接された状態で、ボックス枠部１４下面に穿設されたビス孔（図示せず）に切欠き部Ｋ２から挿入されたビスＢが挿通されると共に、ビスＢがボックス枠部２２の内面に設けられたビス孔２４（図１に図示）に螺着されることで、本体１と左縦枠材２とが固定される。本体１と左縦枠材２との固定はボックス枠部１４及び２２によりなされることで、固定部分周辺の強度が確保されて固定は強固なものとなり得る。
【００１６】
図３は、本体１への取付部材５の取り付け後の状態を示す説明図である。ボルト頭部４２にナット４３が緊結されることで、遮音板３の上端付近は本体平面１２及び取付平面５２の間に、パッキン材Ｐ１及びＰ２を介して挟持され、またボルト孔３１に挿通されたねじ部４２が抜け止めとなって、遮音板３は枠体１０すなわち本体１及び取付部材５から外れないようになされる。また係合された係合部１１と係合部５１との間には、ボルト４による通常の固定状態においては遮音板３の表裏方向に隙間Ｓ１及びＳ２が生じるようになされ、遮音板３の厚みの寸法ばらつきに対応するのが容易となされている。
【００１７】
最後に図４に示す如く、取付部材５にカバー材６が取り付けられる。カバー材６は、アルミニウム押出形材からなり、本体１及び取付部材５と略同一の長さに延設されたものである。カバー材６の、相対向して設けられた二体の脚部６１間にステー部６２が設けられ、ステー部６２から脚部６１が延設された側と同じ側に二体のリブ６３が設けられている。脚部６１の先端には、取付部材５に設けられた摺動溝５４に挿入且つ摺動可能な発状突起６４が設けられ、発状突起６４が摺動溝５４内に挿入されると共に摺動されることで、カバー材６が取付部材５に取り付けられる。カバー材６に相対向して設けられたリブ６３間の間隔ｄは、六角ナット４３の六角がなす平行辺間の幅より僅かに大きくなされることで、六角ナット４３がリブ６３間に嵌入可能となってカバー材６が取り付け可能となされると共に、リブ６３間に嵌入された六角ナット４３の回動が抑えられ、振動等によりナット４３が緩むことのないようになされている。
【００１８】
図５は、形成された遮音パネルの枠体構造を示すもので、図４におけるＡ−Ａ断面図である。遮音板３はボルト孔３１に挿通されたボルト４が、ボルトの頭部４１側を本体１に、ナット４３側を取付部材５により二点支持されているが、係止部１１と係止部５１とが方向αへの引き抜き力に対抗して、遮音板３と共に取付部材５が方向αに外れにくくなるよう係合されていることで、遮音板３の二点支持構造が維持されて枠体１０すなわち本体１及び取付部材５からボルト４が外れにくくなって遮音板３の脱落する恐れを小さくできる。
【００１９】
係止部１１及び係止部５１は、取付部材５が方向α側に引っ張られた場合に外れにくくなされていればよいが、本実施形態の如く係止部１１と係止部５１との間が当接面Ｔとなされ、当接面Ｔが方向αと鉛直方向となされていることで、外れにくさと前面側からの取り付け易さとを具有させることができる。他にも図６のイ）に示す如く当接面を斜めに傾斜させたり、図６のロ）に示す如く係合部１１及び５１の先端を更に内側に屈曲させて嵌合するようにして取付部材５を外れにくくすることもできる。
【００２０】
図７は、台風による極めて強い風荷重や、道路を走行する車両から積み荷が落下して遮音板３に衝突する等、重度の荷重がかかった場合を示すもので、遮音板３の図中左側の方向から荷重Ｆがかかった際には、まず遮音板３は方向βに向かってたわみが生じるが、遮音板３のたわみに伴って本体枠体１の取付溝１１に挿入された遮音板３の上端角部３２が本体壁面１２に内面に当接し、上端角部３２が支点となって取付部材５の下端に方向γへのモーメントがかかる。方向γへのモーメントがかかった取付部材５は、ボルト４を支点として上端に方向δへのモーメントがかかり、方向δへのモーメントにより取付部材５の上端に設けられた係合部５１が、平常時には係合部１１との間に隙間Ｓ１及びＳ２が設けられていることで更に深く係合部１１に嵌入される。係合部５１が係合部１１に更に深く嵌入されることで、ボルト４を支点として取付平面５２により遮音板３のボルト４より奧側が、方向γ方向により強く挟持され、方向αへの引き抜き力に対して、枠体１０すなわち本体１及び取付部材５から遮音板３がより一層外れにくくなり、引き抜き力に対抗する強度が更に高められたものとなり得る。
【００２１】
本実施形態においては、遮音板３上方の枠体について説明を行ったが、相対向する枠体各々、すなわち上方の枠体のみならず下方の枠体についてもかかる枠体構造を適用すれば、遮音板３のたわみ及び引き抜き荷重にバランスよく対抗して一方の枠体からのみ遮音板３が引き抜かれるといった状態となるのを回避でき好ましい。また、上下の横方向の枠体のみならず、左右の縦方向の枠体についてもかかる枠体構造を適用してたわみ及び引き抜き荷重に対抗するようにしてもよい。
【００２２】
上述の如き、本発明に係わる遮音パネルの枠体構造を備えることで、それ程抜け止めの増設や枠体自体の強度の向上が必要がなく遮音板へのたわみや引き抜き力に対抗して遮音板の抜けが発生しにくい遮音パネルを得ることができ、とりわけ大型の遮音板に適用することで、比較的軽量で、低いコストにより形成された遮音パネルとなり得る。
【図面の簡単な説明】
【００２３】
【図１】本発明に係わる遮音パネルの枠体構造の、実施の一形態における形成の状態を示す説明図である。
【図２】本発明に係わる遮音パネルの枠体構造の、実施の一形態における形成の状態を示す説明図である。
【図３】本発明に係わる遮音パネルの枠体構造の、実施の一形態における形成の状態を示す説明図である。
【図４】本発明に係わる遮音パネルの枠体構造の、実施の一形態における形成の状態を示す説明図である。
【図５】図４のＡ−Ａ断面である。
【図６】係合部の他の例を示す断面図である。
【図７】遮音板がたわんだ場合の状態を示す断面図である。
【符号の説明】
【００２４】
１    枠体本体
１１  係合部
１２  本体壁面
２    左縦枠材
３    遮音板
４    ボルト
５    取付部材
５１  係合部
５２  取付壁面
１０  枠体
【図１】
2006016851.tif 000003
【図２】
2006016851.tif 000004
【図３】
2006016851.tif 000005
【図４】
2006016851.tif 000006
【図５】
2006016851.tif 000007
【図６】
2006016851.tif 000008
【図７】
2006016851.tif 000009